(57)【要約】【課題】携帯端末に電力を供給しながら、ＡＣアダプタのケーブルをアンテナとして用い、携帯端末が有するアンテナと受信感度を比較し、適したアンテナを選択する。【解決手段】本発明の携帯端末システムは、第１のアンテナを有する携帯端末と、携帯端末に直流電流を供給するＡＣアダプタと、からなる携帯端末システムであって、ＡＣアダプタは、直流電流を伝導し、第２のアンテナとして使用可能な伝導配線を含むケーブルと、直流電流と放送信号を出力するＶＣＨＧ端子と、ＶＣＨＧ端子が出力した直流電流を遮断し、放送信号を通過させる直流阻止部と、直流阻止部を通過した放送信号を出力するＡＮＴ端子と、グランドとなるＧＮＤ端子と、を有し、携帯端末は、ＡＮＴ端子と第１のアンテナから出力された放送信号を比較し、受信感度の大きいアンテナに切り替えるアンテナ切り替え部と、ＶＣＨＧ端子から出力された直流電流を充電する充電池と、をさらに有する。【選択図】図５
2009130423.tif 000002
【特許請求の範囲】
【請求項１】
放送信号を受信する第１のアンテナを有する携帯端末と、前記携帯端末に直流電流を供給するＡＣアダプタと、からなる携帯端末システムであって、
前記ＡＣアダプタは、
前記直流電流を伝導するとともに、前記放送信号を受信する第２のアンテナとして使用可能な伝導配線を含むケーブルと、
前記伝導配線を伝導してくる前記直流電流と、前記伝導配線が前記第２のアンテナとして受信した前記放送信号と、を出力するＶＣＨＧ端子と、
前記ＶＣＨＧ端子から出力された前記直流電流を遮断し、前記放送信号を通過させる直流阻止部と、
前記直流阻止部を通過した前記放送信号を出力するＡＮＴ端子と、
前記携帯端末と接続された際に、前記伝導配線と前記携帯端末の回路をグランドに接地するＧＮＤ端子と、を有し、
前記携帯端末は、
前記第２のアンテナで受信され前記ＡＮＴ端子から出力された前記放送信号と、前記第１のアンテナで受信された前記放送信号と、の受信電界強度を比較し、受信電界強度の大きな前記放送信号を受信しているアンテナへの切り替えをおこなうアンテナ切り替え部と、
前記ＶＣＨＧ端子から出力された前記直流電流を充電する充電池と、をさらに有することを特徴とする携帯端末システム。
【請求項２】
前記携帯端末は、前記ＶＣＨＧ端子から前記直流電流が入力されたことを検知した場合、検知信号を前記アンテナ切り替え部に送信するとともに、前記充電池への直流電流の充電を制御する充電制御部をさらに有し、
前記アンテナ切り替え部は、前記充電制御部から送信されてきた前記検知信号を受信することで、前記ＡＣアダプタが前記携帯端末に接続されたことを検知し、前記第１のアンテナと前記第２のアンテナで受信された前記放送信号の受信電界強度の比較を開始する、請求項１に記載の携帯端末システム。
【請求項３】
前記ＡＣアダプタは、前記携帯端末と接続された際に、前記伝導配線を、前記携帯端末の回路から独立して接地するＡＮＴ−ＧＮＤ端子をさらに有する、請求項１または２に記載の携帯端末システム。
【請求項４】
前記ＡＣアダプタは、前記伝導配線上の、前記ＶＣＨＧ端子から、前記直流電流の伝導方向上流側に、前記放送信号の波長の１／４もしくはその奇数倍離れた位置に設けられ、高周波信号を遮断する高周波阻止部をさらに有する、請求項１から３のいずれか１項に記載の携帯端末システム。
【請求項５】
前記放送信号は地上波デジタルテレビ放送の放送信号であり、
前記高周波阻止部は、前記ＶＣＨＧ端子から１６ｃｍ離れた位置に設けられている、請求項４に記載の携帯端末システム。
【請求項６】
前記放送信号は、ＦＭラジオ放送の放送信号であり、
前記高周波阻止部は、前記ＶＣＨＧ端子から９９ｃｍ離れた位置に設けられている、請求項４に記載の携帯端末システム。
【発明の詳細な説明】
【技術分野】
【０００１】
本発明は、ＡＣアダプタと、ＡＣアダプタのケーブルを放送信号を受信するアンテナとして使用可能な携帯端末と、からなる携帯端末システムに関する。
【背景技術】
【０００２】
近年、携帯電話などの携帯端末の高性能化により、携帯端末でＦＭラジオ放送やテレビ（ＴＶ）放送、地上波デジタルテレビ（ＤＴＶ）放送などの放送信号を受信し、視聴することが出来るようになってきている。
【０００３】
しかし、ＴＶ放送やＤＴＶ放送などの視聴は消費電流が多く、携帯端末の充電池容量では、短時間しか視聴することができない。そのため携帯端末でＴＶ放送やＤＴＶ放送などを長時間視聴するためには、外部から直流電流を供給し続ける必要があるという課題がある。
【０００４】
また、携帯端末は、携帯できるサイズである必要があるため、内部部品の構成やサイズなどに制約が多く、放送信号を感度よく受信するために必要なアンテナの長さが十分に確保できていない。そのため、受信対象の放送信号の種類によっては、視聴するのが難しいケースが発生することもある。そのため、携帯端末で放送信号を感度よく受信する必要があるという課題がある。
【０００５】
これらの課題を解決するために、例えば、特許文献１には、ＡＣアダプタから携帯端末に直流電流を供給する構成とし、かつ、ＡＣアダプタのケーブルをアンテナとして使用する技術が記載されている。
【０００６】
また、特許文献２には、携帯端末に複数のアンテナを搭載し、複数のアンテナのうち受信感度の高いアンテナに自動で切り替える技術（アンテナダイバーシティ方式）が記載されている。
【特許文献１】特開２００６−５４５０２号公報
【特許文献２】特開２００６−６０４１９号公報
【発明の開示】
【発明が解決しようとする課題】
【０００７】
上述した特許文献１，２に記載の技術により、携帯端末において、ＡＣアダプタのケーブルをアンテナとして使用することでアンテナを複数とし、これら複数のアンテナを受信感度に応じて自動で切り替える構成とすることも考えられる。
【０００８】
ただし、携帯端末においては、上記構成とする場合、ＴＶ放送やＤＴＶ放送などを長時間視聴するには、ＡＣアダプタから直流電流を供給し続けながらアンテナを自動で切り替えるという動作をおこなうことになるが、この動作を特許文献１，２に記載の技術で実現することは困難である。以下にその理由について説明する。
【０００９】
特許文献１に記載されている技術では、ＡＣアダプタでは負側の配線のグランドへの接地をおこなっておらず、携帯端末内でＡＣアダプタの負側の配線を接地し、負側の配線を１／４アンテナとして使用している。そのため、ＡＣアダプタが電源に接続されている場合、ＡＣアダプタの負側の配線から携帯端末へは、直流電流と放送信号が同時に入力される。また、携帯端末内で接地をおこなっているため、ＡＣアダプタでは直流電流から放送信号を分離することができない。そのため、携帯端末内で、ＡＣアダプタから入力された直流電流から放送信号を分離しないと、直流電流を携帯端末に供給し続けながら、ＡＣアダプタの負側の配線で受信した放送信号を視聴することができない。
【００１０】
一方、特許文献２に記載されている技術では、放送信号の入力端子から直流電流が流入することは想定されていない。そのため、アンテナから入力された放送信号は、特別な処理なしに、その後のアンテナ切り替え処理にまわされる。
【００１１】
そのため、特許文献１，２に記載の技術において、上記構成を実現するためには、携帯端末内に、ＡＣアダプタから入力される直流電流から放送信号を分離するための新たな機能部を設ける必要がある。しかし、サイズに制限の多い携帯端末においては、新たな機能部を設けることは困難である。
【００１２】
このように、特許文献１，２に記載の技術においては、携帯端末において、ＡＣアダプタから直流電流を供給し続けながらアンテナの自動切換えをおこなうことができないという課題がある。
【００１３】
そこで、本発明の目的は、上述した課題を解決する携帯端末システムを提供することにある。
【課題を解決するための手段】
【００１４】
上記目的を達成するために本発明の携帯端末システムは、
放送信号を受信する第１のアンテナを有する携帯端末と、前記携帯端末に直流電流を供給するＡＣアダプタと、からなる携帯端末システムであって、
前記ＡＣアダプタは、
前記直流電流を伝導するとともに、前記放送信号を受信する第２のアンテナとして使用可能な伝導配線を含むケーブルと、
前記伝導配線を伝導してくる前記直流電流と、前記伝導配線が前記第２のアンテナとして受信した前記放送信号と、を出力するＶＣＨＧ端子と、
前記ＶＣＨＧ端子から出力された前記直流電流を遮断し、前記放送信号を通過させる直流阻止部と、
前記直流阻止部を通過した前記放送信号を出力するＡＮＴ端子と、
前記携帯端末と接続された際に、前記伝導配線と前記携帯端末の回路をグランドに接地するＧＮＤ端子と、を有し、
前記携帯端末は、
前記第２のアンテナで受信され前記ＡＮＴ端子から出力された前記放送信号と、前記第１のアンテナで受信された前記放送信号と、の受信電界強度を比較し、受信電界強度の大きな前記放送信号を受信しているアンテナへの切り替えをおこなうアンテナ切り替え部と、
前記ＶＣＨＧ端子から出力された前記直流電流を充電する充電池と、をさらに有することを特徴とする。
【発明の効果】
【００１５】
上述したように、本発明の携帯端末システムにおいては、第１のアンテナを有する携帯端末に対して直流電流を供給するＡＣアダプタのケーブルの伝導配線を第２のアンテナとして使用し、第１のアンテナおよび第２のアンテナのうち受信した放送信号の受信電界強度が大きなアンテナへの切り替えを行う構成となっている。
【００１６】
ここで、ＡＣアダプタにおいては、ＶＣＨＧ端子から出力される、伝導配線を伝導する直流電流と伝導配線が第２のアンテナとして受信した放送信号とのうち、直流電流を遮断し、放送信号を通過させる直流阻止部を、ＡＮＴ端子とＶＣＨＧ端子の間に設けているため、ＡＮＴ端子からは放送信号のみが携帯端末に出力される。
【００１７】
このように、携帯端末には、ＡＣアダプタのＡＮＴ端子から放送信号のみが入力されるため、特許文献１，２に記載の技術のように、直流電流から放送信号を分離するための新たな機能部を内部に設けなくても、上記構成を実現することができる。
【００１８】
したがって、本発明の携帯端末システムは、上記構成において、ＡＣアダプタから携帯端末に直流電流を供給し続けながら、第１のアンテナおよび第２のアンテナのうち受信した放送信号の受信電界強度が大きなアンテナへの切り替えを行うことができるという効果が得られる。
【発明を実施するための最良の形態】
【００１９】
以下に、本発明を実施するための最良の形態について図面を参照して説明する。
【００２０】
（第１の実施形態）
図１に示すように、本実施形態の携帯端末システムは、放送信号を受信し視聴することができる携帯端末１００と、携帯端末１００に外部電源から直流電流を供給するためのＡＣアダプタ２００と、から構成される。
【００２１】
最初に、図２を用いて本実施形態に係るＡＣアダプタ２００について説明する。
【００２２】
図２に示すように、本実施形態に係るＡＣアダプタ２００は、ＡＣアダプタ本体２０１と、電源プラグ２０２と、ケーブル２８０と、プラグ２１０と、を有している。
【００２３】
電源プラグ２０２は、コンセントなどの外部電源に接続するためのプラグである。
【００２４】
ＡＣアダプタ本体２０１は、電源プラグ２０２を介して、外部電源から得た交流電圧を直流電流に変換し、ケーブル２８０に出力する。
【００２５】
ケーブル２８０は、後述するＡＣアダプタプラス（ＶＣＨＧ）端子２２０に接続されている伝導配線であるＶＣＨＧ配線２８１と、グランドに接地されており、後述する回路グランド（ＧＮＤ）端子２３０に接続されているＧＮＤ配線２８２と、を有している。
【００２６】
ＶＣＨＧ配線２８１は、ＡＣアダプタ本体２０１から出力された直流電流をＶＣＨＧ端子２２０に伝導する。また、ＶＣＨＧ配線２８１は、携帯端末１００と接続されると、グランドに接地され、１／４アンテナとして機能し、第２のアンテナとして、受信した放送信号を、後述するＡＮＴ端子２４０に伝える。
【００２７】
ＧＮＤ配線２８２は、携帯端末１００に直流電流を供給する際に、携帯端末１００の回路をグランドに接地するための配線である。また、ＧＮＤ配線２８２は、携帯端末１００と接続された際には、ＶＣＨＧ配線２８１が１／４アンテナとして動作するために、ＶＣＨＧ配線２８１の接地もおこなう。
【００２８】
プラグ２１０は、後述する携帯端末１００のコネクタ１１０と接続し、携帯端末１００に直流電流と放送信号を出力するためのプラグである。
【００２９】
なお、プラグ２１０は、例えば特許文献１に記載されていようなＡＣアダプタのプラグが有する、ＶＣＨＧ端子２２０およびＧＮＤ端子２３０に加え、アンテナ（ＡＮＴ）端子２４０を有している。
【００３０】
ＶＣＨＧ端子２２０は、ＡＣアダプタ本体２０１が出力した直流電流を、携帯端末１００に、出力するための端子である。また、ＶＣＨＧ端子２２０からは、ＶＣＨＧ配線２８１が受信した放送信号もあわせて出力されるが、放送信号は微弱なため、以降の処理に影響を及ぼすことはない。
【００３１】
ＧＮＤ端子２３０は、携帯端末１００に直流電流を供給する際に、携帯端末１００の回路をグランドに接地するための端子である。また、ＧＮＤ端子２３０は、携帯端末機器１００と接続された際に、ＶＣＨＧ配線２８１が１／４アンテナとして動作するために、ＡＮＴ端子２４０を接地する。
【００３２】
ＡＮＴ端子２４０は、携帯端末１００に、第２のアンテナであるＶＣＨＧ配線２８１で受信した放送信号を出力するための端子である。ＡＮＴ端子２４０は、後述する直流阻止部２７０を介して、ＶＣＨＧ端子２２０およびＶＣＨＧ配線２１２に接続している。
【００３３】
直流阻止部２７０は、ＡＣアダプタ本体２０１が出力した直流電流が、ＶＣＨＧ配線２１２を伝導し、ＶＣＨＧ端子２２０から、ＡＮＴ端子２４０に流入するのを防ぐ。直流阻止部２７０には、コンデンサなどを用いることができる。直流阻止部２７０は、図２に示すように、ＶＣＨＧ端子２２０とＡＮＴ端子２４０の間に設けられおり、ＶＣＨＧ配線２８１を伝導してくる直流電流をＡＮＴ端子２４０の手前で遮断し、ＶＣＨＧ配線２８１が受信した放送信号を通過させる。これにより、ＡＮＴ端子２４０からは、放送信号のみを出力することができる。
【００３４】
次に、図３を用いて、本実施形態に係る携帯端末１００について説明する。
【００３５】
図３に示すように、本実施形態に係る携帯端末１００は、充電制御部１０１と、充電地１０２と、チューナー部１０３と、アンテナ切り替え部１０４と、コネクタ１１０と、第１のアンテナであるホイップアンテナ１０５と、を有している。また、携帯端末１００は、例えば携帯電話であるとすれば、図４に示すような一般的な携帯電話が有する、電源制御部１０６や、ＲＦ（携帯電話無線部回路）１６１や、携帯端末内蔵アンテナ１６２や、ＣＰＵ１７１とＬＯＧＩＣ回路１７２からなる携帯電話ベースバンド回路部１７０や、メモリ１８０や、ＬＣＤ（携帯電話表示部）１９１や、ＧＰＳ１９２や、カメラ１９３や、スピーカー１９４や、レシーバー１９５や、バイブレーター１９６や、キー１９７などを備えるなど、図３では省略している構成要素も有しているものとする。なお、図４に示す構成要素のうち、本発明の本質でないものについては適宜説明を省略する。
【００３６】
ホイップアンテナ１０５は、放送信号を受信するためのアンテナである。
【００３７】
コネクタ１１０は、ＡＣアダプタ２００が有するプラグ２１０と接続し、ＡＣアダプタ２００から直流電流と放送信号を入力するためのコネクタである。
【００３８】
なお、コネクタ１１０は、例えば特許文献１に記載されていような携帯端末のコネクタが有する、ＶＣＨＧ端子１２０およびＧＮＤ端子１３０に加え、ＡＮＴ端子１４０を有している。
【００３９】
ＶＣＨＧ端子１２０は、上述したＶＣＨＧ端子２２０と接続し、後述する充電制御部１０１を介して、充電池１０２に直流電流を入力するための端子である。
【００４０】
ＧＮＤ端子１３０は、上述したＧＮＤ端子２３０と接続し、携帯端末１００の回路をグランドに接地するとともに、ＶＣＨＧ配線２８１が１／４アンテナとして動作するために、ＡＮＴ端子１４０を接地するための端子である。
【００４１】
ＡＮＴ端子１４０は、上述したＡＮＴ端子２４０と接続し、ＶＣＨＧ配線２８１で受信した放送信号を携帯端末１００に入力するための端子である。
【００４２】
充電池１０２は、ＡＣアダプタ２００からＶＣＨＧ端子１２０に入力された直流電流を充電するための、充電池である。
【００４３】
充電制御部１０１は、コネクタ１１０に、ＡＣアダプタ２００のプラグ２１０が接続され、直流電流が入力されたことを検知すると、後述するアンテナ切り替え部１０４に、検知信号である直流電流検知信号を送信するとともに、ＶＣＨＧ端子１２０から入力された直流電流を充電池１０２に充電するための制御をおこなう。
【００４４】
アンテナ切り替え部１０４は、充電制御部１０１からの直流電流検知信号を受信し、ＡＣアダプタ２００、すなわち第２のアンテナが携帯端末１００に接続されたことを検知する。ＡＣアダプタ２００の接続を検知したアンテナ切り替え部１０４は、ホイップイアンテナ１０５と、ＡＮＴ端子１４０と、から入力される放送信号の受信電界強度を比較し、受信電界強度が大きな放送信号を受信しているアンテナから入力される放送信号を、後述するチューナー部１０３に出力する。また、アンテナ切り替え部１０４は、アンテナ切り替え後も、常時、使用していないアンテナで受信される放送信号の受信電界強度を測定し、アンテナ切り替え時に測定した各アンテナで受信された放送信号の受信電界強度と比較することで、再度アンテナの切り替えをおこなうかを判定する。
【００４５】
チューナー部１０３は、アンテナ切り替え部１０４から入力された放送信号を、ユーザが視聴できるように、画像データおよび音声データに変換する。ユーザは変換された各データを携帯端末１００の出力部（不図示：例えば一般的な携帯電話であれば、図４に示す、ＬＣＤ１９１やスピーカー１９４など）から視聴することができる。
【００４６】
以下に、図５を用いて、本実施形態の携帯端末システムにおける、各アンテナで受信された放送信号と、ＡＣアダプタ本体２０１から出力された直流電流、の流れを説明する。
【００４７】
最初に、各アンテナで受信された放送信号の流れについて説明する。
【００４８】
まず、ＶＣＨＧ配線２８１は、携帯端末１００とＡＣアダプタ２００が接続されることにより接地され、１／４アンテナとして動作することができるようになる。図６に、１／４アンテナとして動作するための電流分布および電圧分布特性の概略を示す。
【００４９】
ＶＣＨＧ配線２８２で受信された放送信号は、直流阻止部２７０を経由して、ＡＮＴ端子２４０から出力され、携帯端末１００のＡＮＴ端子１４０に入力される。
【００５０】
ＡＮＴ端子１４０に入力された放送信号は、アンテナ切り替え部１０４に出力される。
【００５１】
一方、ホイップアンテナ１０５で受信された放送信号は、アンテナ切り替え部１０４に出力される。
【００５２】
次に、アンテナ切り替え部１０４は、１／４アンテナとして動作するＶＣＨＧ配線２８１で受信されＡＮＴ端子１４０から入力された放送信号と、ホイップアンテナ１０５から入力された放送信号の受信電界強度を比較し、受信電界強度が大きな放送信号を受信しているアンテナを選択し、そのアンテナから入力された放送信号を、チューナー部１０３に出力する。
【００５３】
チューナー部１０３は、アンテナ切り替え部１０４から入力された放送信号を、ユーザが視聴できるように、映像データおよび音声データに変換し、携帯端末１００の出力部（不図示）に出力する。
【００５４】
次に、直流電流の流れについて説明する。
【００５５】
ＡＣアダプタ本体２０１から出力された直流電流は、ＶＣＨＧ配線２８１を伝導し、ＶＣＨＧ端子２２０から出力され、携帯端末１００のＶＣＨＧ端子１２０に入力される。なお、ＶＣＨＧ端子２２０とＡＮＴ端子２４０の間には、直流阻止部２７０が設けられているため、ＡＮＴ端子２４０には直流電流は流入しない。
【００５６】
ＶＣＨＧ端子１２０に入力された直流電流は、充電制御部１０１に出力される。
【００５７】
次に、充電制御部１０１は、ＶＣＨＧ端子１２０からの直流電流の入力を検知し、アンテナ切り替え部１０４に、直流電流検知信号を送信するとともに、充電池１０２に直流電流を充電する。充電池１０２に充電された直流電流は、携帯端末１００の各構成要素（図４参照）を動作させるために使用される。
【００５８】
次に、本実施形態の効果について説明する。
【００５９】
本発明の携帯端末システムにおいては、ホイップアンテナ１０５を有する携帯端末１００に対して直流電流を供給するＡＣアダプタ２００のケーブル２８０のＶＣＨＧ配線２８１をアンテナとして使用し、ホイップアンテナ１０５およびＶＣＨＧ配線２８１のうち受信した放送信号の受信電界強度が大きなアンテナへの切り替えを行う構成となっている。
【００６０】
ここで、ＡＣアダプタ２００においては、ＶＣＨＧ端子２２０から出力される、ＶＣＨＧ配線２８１を伝導する直流電流とＶＣＨＧ配線２８１が受信した放送信号とのうち、直流電流を遮断し、放送信号を通過させる直流阻止部２７０を、ＡＮＴ端子２４０とＶＣＨＧ端子２２０の間に設けているため、ＡＮＴ端子２４０からは放送信号のみが携帯端末１００に出力される。
【００６１】
このように、携帯端末１００には、ＡＣアダプタ２００のＡＮＴ端子２４０から放送信号のみが入力されるため、特許文献１，２に記載の技術のように、直流電流から放送信号を分離するための新たな機能部を内部に設けなくても、上記構成を実現することができる。
【００６２】
したがって、本発明の携帯端末システムは、上記構成において、ＡＣアダプタ２００から携帯端末１００に直流電流を供給し続けながら、ホイップアンテナ１０５およびＶＣＨＧ配線２８１のうち受信した放送信号の受信電界強度が大きなアンテナへの切り替えを行うことができるという効果が得られる。
【００６３】
（第２の実施形態）
本実施形態の携帯端末システムは、第１の実施形態と同様に、図１に示したような全体構成となっている。
【００６４】
最初に、図７を用いて本実施形態に係るＡＣアダプタ２００について説明する。
【００６５】
図７に示すように、本実施形態に係るＡＣアダプタ２００は、第１の実施形態と比較して、ＡＮＴ−ＧＮＤ端子２５０と、ＡＮＴ−ＧＮＤ配線２８３と、高周波阻止部２６０と、を有する点が異なる。
【００６６】
以下に、第１の実施形態と異なる点について説明する。
【００６７】
ＡＮＴ−ＧＮＤ端子２５０は、ＡＣアダプタ２００と携帯端末１００が接続された際に、ＶＣＨＧ配線２８１が１／４アンテナとして動作するためにグランドに接地するための端子である。第１の実施形態では、ＶＣＨＧ配線２８１を接地するための端子を、携帯端末１００の回路をグランドに接地するためのＧＮＤ端子２３０と共用していた。しかし、ＶＣＨＧ配線２８１が受信する放送信号は非常に微弱なため、ＶＣＨＧ配線２８１を接地する端子をＧＮＤ端子２３０と共用すると、放送信号に回路の動作ノイズが乗る可能性がある。そのため、本実施形態では、ＧＮＤ端子と独立したＡＮＴ−ＧＮＤ端子２５０を設け、ＶＣＨＧ配線２８１を携帯端末１００の回路から独立して接地することにより、放送信号に回路動作ノイズが乗るのを防いでいる。
【００６８】
ＡＮＴ−ＧＮＤ配線２８３は、ＡＮＴ−ＧＮＤ端子２５０をグランドに接地するための配線である。
【００６９】
高周波阻止部２６０は、ＶＣＨＧ配線２８１上に配置され、その前後からの高周波信号を遮断し、ＶＣＨＧ配線２８１を２つの部分に高周波的に分離する。高周波阻止部２６０には、高周波チョークコイルなどを用いることができる。これにより、ＶＣＨＧ端子２２０と高周波阻止部２６０の間のＶＣＨＧ配線２８１（アンテナ部）を、ＶＣＨＧ配線２８１の他の部分からから高周波的に分離し、アンテナ部のみをアンテナとして使用することができるようになる。図６に示すように、アンテナで放送信号を感度よく受信するには、放送信号の共振を利用するため、アンテナの長さを、放送信号の波長の１／４（の奇数倍）の長さにする必要がある。そのため、受信する放送信号によっては、ＶＣＨＧ配線２８１を全てアンテナとして使用してしまうと、アンテナの長さが必ずしも適切ではない場合が生じる。そのため、ＶＣＨＧ配線２８１上に、ＶＣＨＧ端子２２０から、直流電流の伝導方向上流側に、受信対象の放送信号の周波数帯の最低周波数の波長の１／４（もしくはその奇数倍）離れた位置に、高周波阻止部２６０を設け、他の部分からアンテナ部を高周波的に分離し、受信対象の放送信号に適した長さのアンテナにしている。
【００７０】
次に、図８を用いて本実施形態に係る携帯端末１００について説明する。
【００７１】
図８に示すように、本実施形態に係る携帯端末１００は、第１の実施形態と比較して、ＡＮＴ−ＧＮＤ端子１５０を有する点が異なる。
【００７２】
以下に、第１の実施形態と異なる点について説明する。
【００７３】
ＡＮＴ−ＧＮＤ端子１５０は、上述したＡＮＴ−ＧＮＤ端子２５０と接続し、ＶＣＨＧ配線２８１が１／４アンテナとして動作するために、ＡＮＴ端子１４０を接地するための端子である。携帯端末１００の回路が接地に使用するＧＮＤ端子１３０と、ＡＮＴ端子１４０が接地に使用するＡＮＴ−ＧＮＤ端子を分離したことで、回路動作ノイズが、ＡＮＴ端子１４０から入力される放送信号に乗るのを防いでいる。
【００７４】
次に、本実施形態の効果について説明する。
【００７５】
本実施形態の携帯端末システムでは、携帯端末１００の回路をグランドに接地するためのＧＮＤ端子２３０（１３０）に加え、ＶＣＨＧ配線２８１を携帯端末１００の回路から独立してグランドに接地するためのＡＮＴ−ＧＮＤ端子２５０（１５０）をプラグ２１０（コネクタ１１０）に設けている。これにより、ＶＣＨＧ配線２８１で受信した微弱な放送信号に、携帯端末１００の回路動作ノイズが乗ることを防ぎ、放送信号を快適に視聴することがきるという効果が得られる。
【００７６】
また、ＡＣアダプタ２００において、ＶＣＨＧ配線２８１上に、ＶＣＨＧ端子２２０から、直流電流の伝導方向上流側に、受信対象の放送信号の周波数帯の最低周波数の波長の１／４（もしくはその奇数倍）離れた位置に、高周波阻止部２６０を設けている。これにより、ＶＣＨＧ配線２８１のアンテナ部を他の部分から高周波的に分離し、受信対象の放送信号に適した長さのアンテナとして使用することができる。そのため、放送信号をより感度よく受信することができるという効果が得られる。
【００７７】
このように、本実施形態の携帯端末システムでは、第１の実施形態の効果に加え、放送信号をより感度よく受信し、快適に視聴することができるという効果が得られる。
【実施例】
【００７８】
以下に、具体的な実施例により、本発明をより詳細に説明する。
【００７９】
本実施例は、図７および８に示した第２の実施形態に相当する実施例であり、図９に示すような構成となっている。なお、本実施例では、ＤＴＶ放送を受信対象の放送信号とする。そのため、携帯端末１００のチューナー部１０３は、ＤＴＶ放送の放送信号を、視聴可能な映像データや音声データに変換することができるものとする。
【００８０】
最初に、携帯端末にてＤＴＶ放送を視聴する場合の現状について、携帯電話を例に説明する。
【００８１】
ＤＴＶ放送では、４７３ＭＨｚ〜７６７ＭＨｚの周波数帯を放送信号として使用している。放送信号の波長は、周波数が小さいものほど長くなるため、ＤＴＶ放送の放送信号を全周波数帯で受信するには、最低周波数である４７３ＭＨｚの放送信号の波長の１／４の長さのアンテナが必要となる。
【００８２】
波長は、光速（ｃ＝３×１０8ｍ／秒）を周波数で割ることで求めることができ、４７３ＭＨｚの放送信号の波長は約６３ｃｍとなる。これより、ＤＴＶ放送の放送信号を全周波数帯で受信するには、アンテナの長さを６３ｃｍの１／４の長さ、つまり約１６ｃｍとする必要があることがわかる。
【００８３】
しかし、携帯電話の各社のカタログによると、携帯電話の筐体長は、１０．５ｃｍ〜１１．１ｃｍであり、またホイップアンテナの長さは、９．８ｃｍ〜１１．４ｃｍとなっており、ＤＴＶ放送を全周波数帯で受信するために必要なアンテナの長さである約１６ｃｍをカバーできていない。そのため、携帯電話では、周波数によっては、ＤＴＶ放送の視聴に困難をきたすことが予想される。そのため、携帯電話で快適にＤＴＶ放送を視聴するには、外部アンテナを使用する必要がある。
【００８４】
また、各社のカタログによると、ＤＴＶ放送の連続視聴時間は単独で５〜７時間と短く、携帯電話の他の機能（通話やメール、写真撮影など）を使用すると、この時間はさらに短くなってしまうことは容易に想像できる。
【００８５】
このように、現状では携帯電話においては、ＤＴＶ放送を快適に長時間視聴するためには、外部アンテナを使用し、かつ、直流電流を外部から供給しなければならない。
【００８６】
本発明の携帯端末システムは、ＡＣアダプタ２００のケーブル２８０をアンテナとして使用し、放送信号の受信感度を向上させるとともに、携帯端末１００にＡＣアダプタ本体２０１から出力される直流電流を供給することができるため、上述した携帯電話でＤＴＶ放送を視聴するような場合に適している。
【００８７】
以下に、図９を参照して本実施例の構成について説明する。
【００８８】
図９を参照すると、本実施例では、高周波阻止部２６０として高周波チョークコイル（ＲＦＣ）２６０を、また、直流阻止部２７０としてコンデンサ２７０を使用している。
【００８９】
ＲＦＣ２６０は、ＶＣＨＧ端子２２０（１２０）から約１６ｃｍ離れた位置に設けられており、ＶＣＨＧ配線２８１のアンテナ部の長さが、ＤＴＶ放送の放送信号を全周波数帯で受信するために必要な約１６ｃｍになるようにしている。
【００９０】
また、携帯端末１００とＡＣアダプタ２００を接続するプラグ（コネクタ）は、ＶＣＨＧ端子２２０（１２０）、ＧＮＤ端子２３０（１３０）、ＡＮＴ端子２４０（１４０）、およびＡＮＴ−ＧＮＤ端子２５０（１５０）を有している。
【００９１】
ＶＣＨＧ配線２８１は、ＲＦＣ２６０により高周波的にアンテナ部と、それ以外の部分と、に分離されている。
【００９２】
ＶＣＨＧ配線２８１のアンテナ部で受信された放送信号は、コンデンサ２７０を経由して、ＡＮＴ端子２４０から出力され、ＡＮＴ端子１４０から携帯端末１００に入力される。
【００９３】
一方、ＡＣアダプタ本体２０１から出力された直流電流は、ＶＣＨＧ端子２２０から出力され、ＶＣＨＧ端子１２０から携帯端末１００に入力される。なお、コンデンサ２７０により、直流電流は遮断されるため、ＡＣアダプタ本体２０１から出力された直流電流がＡＮＴ端子２４０（１４０）を経由して、携帯端末１００のチューナー部１０３に流入することはない。
【００９４】
そのため、携帯端末１００にＡＮＴ端子１４０から入力された放送信号は、レベル変換などの処理を必要とせず、そのまま、アンテナ切り替え部１０４を経由して、チューナー部１０３に、入力することが出来る。
【００９５】
また、携帯端末１００は、アンテナ切り替え部１０４にて、自動でＤＴＶ放送の放送信号を受信するのに適したアンテナを選択し、適時適したアンテナに自動的に切り替えをおこなうため、放送信号の受信状態が変化しても快適にＤＴＶ放送を視聴することができる。
【００９６】
また、ＶＣＨＧ端子１２０から入力された直流電流は、充電制御部１０１を介して、充電池１０２に充電される。
【００９７】
なお、本実施例ではＤＴＶ放送を受信対象の放送信号としているが、ＤＴＶ放送以外にも、例えば、７６ＭＨｚ〜９０ＭＨｚの周波数帯を放送信号として使用しているＦＭラジオ放送であれば、最低周波数である７６ＭＨｚの放送信号の波長の１／４の長さである、ＶＣＨＧ端子２２０から約９９ｃｍ離れた位置にＲＦＣ２６０を設けるなど、受信対象の放送信号の種類によりＲＦＣ２６０を設ける位置を変えることで、ＶＣＨＧ配線２８２のアンテナ部の長さを、各放送信号に適したアンテナの長さにすることができる。
【図面の簡単な説明】
【００９８】
【図１】本発明の第１および第２の実施形態の携帯端末システムの全体構成を示す外観図である。
【図２】本発明の第１の実施形態に係るＡＣアダプタの構成を示すブロック図である。
【図３】本発明の第１の実施形態に係る携帯端末の構成を示すブロック図である。
【図４】一般的な携帯電話の構成を示すブロック図である。
【図５】本発明の第１の実施形態における放送信号および直流電流の流れを説明する図である。
【図６】１／４アンテナの動作の概要を説明する図である。
【図７】本発明の第２の実施形態に係るＡＣアダプタの構成を示すブロック図である。
【図８】本発明の第２の実施形態に係る携帯端末の構成を示すブロック図である。
【図９】本発明の携帯端末システムの実施例の構成を示す図である。
【符号の説明】
【００９９】
１００    携帯端末
１０１    充電制御部
１０２    充電池
１０３    チューナー部
１０４    アンテナ切り替え部
１０５    ホイップアンテナ
１０６    電源制御部
１１０    コネクタ
１２０    ＶＣＨＧ端子
１３０    ＧＮＤ端子
１４０    ＡＮＴ端子
１５０    ＡＮＴ−ＧＮＤ端子
１６１    ＲＦ（携帯電話無線部回路）
１６２    携帯端末内蔵アンテナ
１７０    ＢＢ（携帯電話ベースバンド回路）
１７１    ＣＰＵ
１７２    ＬＯＧＩＣ（ＬＯＧＩＣ回路）
１８０    メモリ
１９１    ＬＣＤ（携帯電話表示部）
１９２    ＧＰＳ
１９３    カメラ
１９４    スピーカー
１９５    レシーバー
１９６    バイブレーター
１９７    キー
２００    ＡＣアダプタ
２０１    ＡＣアダプタ本体
２０２    電源プラグ
２１０    プラグ
２２０    ＶＣＨＧ端子
２３０    ＧＮＤ端子
２４０    ＡＮＴ端子
２５０    ＡＮＴ−ＧＮＤ端子
２６０    高周波阻止部
２７０    直流阻止部
２８０    ケーブル
２８１    ＶＣＨＧ配線
２８２    ＧＮＤ配線
２８３    ＡＮＴ−ＧＮＤ配線
【図１】
2009130423.tif 000003
【図２】
2009130423.tif 000004
【図３】
2009130423.tif 000005
【図４】
2009130423.tif 000006
【図５】
2009130423.tif 000007
【図６】
2009130423.tif 000008
【図７】
2009130423.tif 000009
【図８】
2009130423.tif 000010
【図９】
2009130423.tif 000011